(57)【要約】      （修正有）【課題】本発明は中螺旋部材や皿部材が振れたりするのを阻止することができる口紅等の収納容器を得るにある。【解決手段】上部内壁面に螺旋溝が形成された外螺旋部材7と、この外螺旋部材の下部を除く外周部に下端部が回動可能に取付けられた筒部材9と、この筒部材の少なくとも上部を除く内壁面に形成された上部がエッヂとならないような傾斜面となる軸心方向の複数個のガイド溝11と、外螺旋部材の螺旋溝と螺合する螺旋部が外周部に形成され上部内壁面に螺旋溝が形成された中螺旋部材14と、この中螺旋部材の上部外周部に一体形成された筒部材の内径寸法よりもわずかに小さい外径寸法の振れ防止用フランジ31と、中螺旋部材の螺旋溝と螺合する螺旋棒がほぼ中央底面より下方へ突出するように形成され外周部に筒部材のガイド溝と係合する係合片が形成された口紅等を支持する皿部材18とで口紅等の収納容器を構成している。【選択図】  図１
2006239277.tif 000002
【特許請求の範囲】
【請求項１】
上部内壁面に螺旋溝が形成された外螺旋部材と、この外螺旋部材の下部を除く外周部に下端部が回動可能に取付けられた筒部材と、この筒部材の少なくとも上部を除く内壁面に形成された上部がエッヂとならないような傾斜面となる軸心方向の複数個のガイド溝と、前記外螺旋部材の螺旋溝と螺合する螺旋部が外周部に形成され、上部内壁面に螺旋溝が形成された中螺旋部材と、この中螺旋部材の上部外周部に一体形成された、前記筒部材の内径寸法よりもわずかに小さい外径寸法の振れ防止用フランジと、前記中螺旋部材の螺旋溝と螺合する螺旋棒がほぼ中央底面より下方へ突出するように形成され、外周部に前記筒部材のガイド溝と係合する係合片が形成された口紅等を支持する皿部材とを備えることを特徴とする口紅等の収納容器。
【請求項２】
上部内壁面に螺旋溝が形成された外螺旋部材と、この外螺旋部材の下部を除く外周部に下端部がカシメにより回動可能に取付けられた筒部材と、この筒部材の少なくとも上部を除く内壁面に形成された上部がエッヂとならないような傾斜面となる軸心方向の複数個のガイド溝と、この複数個のガイド溝と前記外螺旋部材と対向する部位に介装させた回動抵抗を付与するＯリングと、前記外螺旋部材の螺旋溝と螺合する螺旋部が外周部に形成され、上部内壁面に螺旋溝が形成された中螺旋部材と、この中螺旋部材の上部外周部に一体形成された、前記筒部材の内径寸法よりもわずかに小さい外径寸法の振れ防止用フランジと、前記中螺旋部材の螺旋溝と螺合する螺旋棒がほぼ中央底面より下方へ突出するように形成され、外周部に前記筒部材のガイド溝と係合する係合片が形成された口紅等を支持する皿部材とを備えることを特徴とする口紅等の収納容器。
【請求項３】
上部内壁面に螺旋溝が形成された外螺旋部材と、この外螺旋部材の下部を除く外周部に下端部がカシメにより回動可能に取付けられた筒部材と、この筒部材の少なくとも上部を除く内壁面に形成された上部がエッヂとならないような傾斜面となる軸心方向の複数個のガイド溝と、前記筒部材と前記外螺旋部材と対向する部位の該外螺旋部材に内周接地面が凹凸となるように形成されたＯリング溝に収納された回動抵抗を付与するＯリングと、前記外螺旋部材の螺旋溝と螺合する螺旋部が外周部に形成され、上部内壁面に螺旋溝が形成された中螺旋部材と、この中螺旋部材の上部外周部に一体形成された、前記筒部材の内径寸法よりもわずかに小さい外径寸法の振れ防止用フランジと、前記中螺旋部材の螺旋溝と螺合する螺旋棒がほぼ中央底面より下方へ突出するように形成され、外周部に前記筒部材のガイド溝と係合する係合片が形成された口紅等を支持する
皿部材とを備えることを特徴とする口紅等の収納容器。
【請求項４】
上部内壁面に螺旋溝が形成された外螺旋部材と、この外螺旋部材の下部を除く外周部に下端部がカシメにより回動可能に取付けられた筒部材と、この筒部材の少なくとも上部を除く内壁面に形成された上部がエッヂとならないような傾斜面となる軸心方向の複数個のガイド溝と、この複数個のガイド溝と前記外螺旋部材と対向する部位の該外螺旋部材に形成されたＯリング溝に収納され外周接地面が凹凸となる回動抵抗を付与するＯリングと、前記外螺旋部材の螺旋溝と螺合する螺旋部が外周部に形成され、上部内壁面に螺旋溝が形成された中螺旋部材と、この中螺旋部材の上部外周部に一体形成された、前記筒部材の内径寸法よりもわずかに小さい外径寸法の振れ防止用フランジと、前記中螺旋部材の螺旋溝と螺合する螺旋棒がほぼ中央底面より下方へ突出するように形成され、外周部に前記筒部材のガイド溝と係合する係合片が形成された口紅等を支持する
皿部材とを備えることを特徴とする口紅等の収納容器。
【請求項５】
振れ防止用フランジはＯリングを介して内筒部材の内壁面に接触することを特徴とする請求項１ないし請求項４いずれかに記載の口紅等の収納容器。
【請求項６】
皿部材の螺旋棒は中螺旋部材の螺旋溝と螺合する該中螺旋部材の螺旋部とは異なるピッチに形成されていることを特徴とする請求項１ないし請求項５いずれかに記載の口紅等の収納容器。
【請求項７】
上部内壁面に螺旋溝が形成された外螺旋部材と、この外螺旋部材の下部を除く外周部に下端部が回動可能に取付けられた筒部材と、この筒部材の少なくとも上部を除く内壁面に形成された上部がエッヂとならないような傾斜面となる軸心方向の複数個のガイド溝と、前記外螺旋部材の螺旋溝と螺合する螺旋部が外周部に形成され、上部内壁面に螺旋溝が形成された中螺旋部材と、この中螺旋部材の上部外周部に一体形成された、前記筒部材の内径寸法よりもわずかに小さい外径寸法の振れ防止用フランジと、前記中螺旋部材の螺旋部の下部寄りの部位に山形形状の上部が外側へ突出するように切り欠き形成されたストッパー片と、前記中螺旋部材の螺旋溝と螺合する筒状の螺旋棒がほぼ中央底面より下方へ突出するように形成され、外周部に前記筒部材のガイド溝と係合する係合片が形成された口紅等を支持する皿部材と、この皿部材の螺旋棒の下部寄りの部位に山形形状の上部が外側へ突出するように切り欠き形成されたストッパー片とを備えることを特徴とする口紅等の収納容器。
【請求項８】
上部内壁面に螺旋溝が形成された外螺旋部材と、この外螺旋部材の下部を除く外周部に下端部がカシメにより回動可能に取付けられた筒部材と、この筒部材の少なくとも上部を除く内壁面に形成された上部がエッヂとならないような傾斜面となる軸心方向の複数個のガイド溝と、この複数個のガイド溝と前記外螺旋部材と対向する部位に介装させた回動抵抗を付与するＯリングと、前記外螺旋部材の螺旋溝と螺合する筒状の螺旋棒がほぼ中央底面より下方へ突出するように形成され、外周部に前記筒部材のガイド溝と係合する係合片が形成された口紅等を支持する皿部材と、この皿部材の螺旋棒の下部寄りの部位に山形形状の上部が外側へ突出するように切り欠き形成されたストッパー片を備えることを特徴とする口紅等の収納容器。
【発明の詳細な説明】
【技術分野】
【０００１】
本発明は口紅、リップクリーム、スチックアイシャドウ、スチックファンデーション等の棒状化粧品を収納する口紅等の収納容器に関する。
【背景技術】
【０００２】
従来の二重螺旋構造の口紅等の収納容器は、先端部に棒状材支持部を有するとともに、外面に第１雄ネジの設けられた第１押棒と、第１雄ネジと螺合する第１雌ネジが先端部に形成された内孔を有するとともに、外面に第１雄ネジと同一螺旋方向の第２雄ねじの設けられた第２押棒とを具備する。
また、先筒の内面および上記第１押棒の外面には、同期係合部（溝、リブ）が設けられている。さらに、尾筒の先端部内面には、第２雄ネジと螺合する第２雌ネジが設けられている。第１押棒尾端部と第２押棒先端部との間、および第２押棒尾端部と尾筒先端部との間に、押棒繰り出し方向の抜け止めがそれぞれ設けられて構成されている。
【０００３】
このように構成された口紅等の収納容器は、口紅の繰り出し操作時に第２の押棒の上端部と第１押棒の下端部とが振れ、スムーズな出没操作ができずらいという欠点があるとともに、口紅等の出没させる移動時に、口紅等の外周部が係合縦溝の上部エッヂ部と接触し、口紅等が削り取られて、汚れや動作不良の原因になるという欠点があった。
【特許文献１】特開平８−３２２６３８
【発明の開示】
【発明が解決しようとする課題】
【０００４】
本発明は以上のような従来の欠点に鑑み、中螺旋部材や皿部材が振れたりするのを効率よく阻止して、スムーズな口紅等の出没操作を行なうことができるとともに、該出没操作時に口紅等が筒部材の軸心方向の複数個のガイド溝によって削り取られるのを阻止することができる口紅等の収納容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は上部内壁面に螺旋溝が形成された外螺旋部材と、この外螺旋部材の下部を除く外周部に下端部が回動可能に取付けられた筒部材と、この筒部材の少なくとも上部を除く内壁面に形成された上部がエッヂとならないような傾斜面となる軸心方向の複数個のガイド溝と、前記外螺旋部材の螺旋溝と螺合する螺旋部が外周部に形成され、上部内壁面に螺旋溝が形成された中螺旋部材と、この中螺旋部材の上部外周部に一体形成された、前記筒部材の内径寸法よりもわずかに小さい外径寸法の振れ防止用フランジと、前記中螺旋部材の螺旋溝と螺合する螺旋棒がほぼ中央底面より下方へ突出するように形成され、外周部に前記筒部材のガイド溝と係合する係合片が形成された口紅等を支持する皿部材とで口紅等の収納容器を構成している。
【発明の効果】
【０００７】
以上の説明から明らかなように、本発明にあっては次に列挙する効果が得られる。
【０００８】
（１）上部内壁面に螺旋溝が形成された外螺旋部材と、この外螺旋部材の下部を除く外周部に下端部が回動可能に取付けられた筒部材と、この筒部材の少なくとも上部を除く内壁面に形成された上部がエッヂとならないような傾斜面となる軸心方向の複数個のガイド溝と、前記外螺旋部材の螺旋溝と螺合する螺旋部が外周部に形成され、上部内壁面に螺旋溝が形成された中螺旋部材と、この中螺旋部材の上部外周部に一体形成された、前記筒部材の内径寸法よりもわずかに小さい外径寸法の振れ防止用フランジと、前記中螺旋部材の螺旋溝と螺合する螺旋棒がほぼ中央底面より下方へ突出するように形成され、外周部に前記筒部材のガイド溝と係合する係合片が形成された口紅等を支持する皿部材とで構成されているので、中螺旋部材の振れ防止用フランジによって、中螺旋部材および皿部材の出没操作時の横方向の振れを防止することができる。
したがって、螺旋の噛み合いがきつくなったりすることなく、スムーズに出没操作することができる。
【０００９】
（２）前記（１）によって、筒部材の少なくとも上部を除く内壁面に上部がエッヂとならないような傾斜面となる軸心方向の複数個のガイド溝で、出没操作時に口紅等がガイド溝の上部で削り取られたりする不具合を確実に防止することができる。
したがって、削り取られた口紅等によって汚れたり、出没操作の動作不良を起こしたりするのを確実に防止することができる。
【００１０】
（３）前記（１）、（２）によって、出没操作時に口紅等が削り取られるのを防止できるので、きれいな状態で口紅等を使用することができる。
【００１１】
（４）請求項２も前記（１）〜（３）と同様な効果が得られるとともに、筒部材のガイド溝が形成された外螺旋部材部位に介装されたＯリングによって、口紅等の出没操作時の回動抵抗が一定となり、よりスムーズに出没操作を行なうことができる。
【００１２】
（５）請求項３、４、５、６、７、８も前記（１）〜（３）と同様な効果が得られるとともに、ピッチが同じ場合には途中までは軽く、後は重く繰り出しすることができるので、勢いよく回した場合でも紅を出し過ぎてしまうことがない。また、ピッチが異なる場合には、繰り出しのスピードを速→遅、遅→速というように設定することができる。
【発明を実施するための最良の形態】
【００１３】
以下、図面に示す本発明を実施するための最良の形態より、本発明を詳細に説明する。
【００１４】
図１ないし図８に示す本発明を実施するための最良の第１の形態において、１は本発明の口紅等の収納容器で、この口紅等の収納容器１はハカマ部材本体２、このハカマ部材本体２に上部のキャップ嵌合部３が上方へ突出位置するように嵌合固定されたキャップ嵌合部材４とからなるハカマ部材５と、このハカマ部材５内に挿入固定された上部内壁面に螺旋溝６が形成された外螺旋部材７と、この外螺旋部材７の下部を除く外周部にカシメ８により下端部が回動可能に取付けられた筒部材９と、この筒部材９の少なくとも上部を除く内壁面に形成された上部がエッヂとならないような傾斜面１０となる軸心方向の複数個のガイド溝１１と、前記外螺旋部材７の螺旋溝６と螺合する螺旋部１２が外周部に形成され、上部内壁面に螺旋溝１３が形成された中螺旋部材１４と、この中螺旋部材１４の螺旋溝１３と螺合する筒状の螺旋棒１５がほぼ中央底面より下方へ突出するように形成され、外周部に前記筒部材９の複数個のガイド溝１１と係合する係合片１６が形成された口紅、リップクリーム、スチックアイシャドウ、スチックファンデーション等の棒状化粧品、本発明の実施の形態では口紅１７を支持する皿部材１８と、前記筒部材９の外周部を覆い、前記ハカマ部材５のキャップ嵌合部３と着脱可能に嵌合するキャップ１９とで構成されている。
【００１５】
前記外螺旋部材７は図４に示すように、上部内壁面に螺旋溝６が形成された筒状の外螺旋部材本体２０と、この外螺旋部材本体２０の下端部を除く外周部に形成された筒部材挿入凹部２１と、この筒部材挿入凹部２１部位の前記外螺旋部材本体２０に形成された、筒部材９の回動抵抗を付与するＯリング２２が収納されるＯリング溝２３およびカシメ用凹部２４とで構成されている。
【００１６】
前記筒部材９は図５に示すように、上面が傾斜面に形成された筒部材本体２５と、この筒部材本体２５内に所定間隔で、上部を除く部位から前記Ｏリング溝２３と対応する部位までに形成された複数個、本発明の実施の形態では４個の軸心方向のガイド溝１１、１１、１１、１１とからなり、該ガイド溝１１、１１、１１、１１の上部はエッヂとならない傾斜面１０、１０、１０、１０に形成されている。
このため、Ｏリング２２の外周接地面がガイド溝１１、１１、１１、１１によって凹凸となり、Ｏリング２２の外周接地面が密着状態になり動作不良を起こすのを確実に防止することができる。
【００１７】
前記中螺旋部材１４は図６に示すように、筒状の中螺旋部材本体２６と、この中螺旋部材本体２６の外周部に前記外螺旋部材７の螺旋溝６と螺合する所定間隔で配置された複数個の突起２７で構成された螺旋部１２と、前記中螺旋部材本体２６の下部寄りの部位にコ字状の切欠部２８、２８で外方へ突出する舌片２９、２９を形成したストッパー片３０、３０と、前記中螺旋部材本体２６の上部外周部に一体形成された、前記筒部材９の内径寸法よりもわずかに小さい外径寸法の振れ防止用フランジ３１とで構成されている。
【００１８】
前記皿部材１８は図７に示すように、内部に口紅１７が収納される皿部材本体３２と、この皿部材本体３２の外周部に形成された、前記筒部材９のガイド溝１１、１１、１１、１１と係合する上部が傾斜面３３、３３、３３、３３に形成された係合片１６、１６、１６、１６と、前記皿部材本体３２の底面中央部より下方へ突出するように一体形成された筒状の螺旋棒本体３４、この螺旋棒本体３４の外周部に前記中螺旋部材１４の螺旋溝１３と螺合する、所定間隔で配置された複数個の突起３５で構成された螺旋部３６および、前記螺旋棒本体３４の下部寄りの部位にコ字状の切欠部３７、３７で外方へ突出する舌片３８、３８を形成したストッパー片３９、３９とからなる螺旋棒１５とで構成されている。
【００１９】
上記構成の口紅等の収納容器１は、ハカマ部材５と筒部材９とを持って回動させることにより、中螺旋部材１４および皿部材１８が上下方向に移動して口紅１７を筒部材９の上部より、図８に示すように出没させることができる。
この口紅１７の出没操作時には、中螺旋部材１４の振れ防止用フランジ３１によって、中螺旋部材１４が横方向に振れることがないため、中螺旋部材１４の螺旋部１２と外螺旋部材７の螺旋溝６との寸法誤差が大きくても、スムーズに出没操作を行なうことができる。
【００２０】
また、中螺旋部材１４が横方向に振れないため皿部材１８も横方向に振れず、口紅１７がスムーズに上下移動できるとともに、ガイド溝１１、１１、１１、１１の上端部を口紅１７が通過する時にも、口紅１７がガイド溝１１、１１、１１、１１のエッヂで削り取られることがない。
[発明を実施するための異なる形態]
【００２１】
次に、図９ないし図２８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２２】
図９ないし図１１に示す本発明を実施するための第２の形態において、前記本発明を実施するための最良の第１の形態と主に異なる点は、ねじ状の螺旋部１２Ａを形成した中螺旋部材１４Ａと、ねじ状の螺旋部３６Ａを形成した螺旋棒１５Ａを使用する皿部材１８Ａとを用いた点で、このように形成された中螺旋部材１４Ａと皿部材１８Ａとを使用する口紅等の収納容器１Ａにしても、前記本発明を実施するための最良の第１の形態と同様な作用効果が得られる。
【００２３】
図１２および図１３に示す本発明を実施するための第３の形態において、前記本発明を実施するための最良の第１の形態と主に異なる点は、ガイド溝１１Ａ、１１Ａ、１１Ａ、１１Ａの下端部を外螺旋部材７の上部位置近傍まで形成した筒部材９Ａを用いた点で、このような筒部材９Ａを用いて構成した口紅等の収納容器１Ｂにしてもよい。
【００２４】
図１４ないし図１６に示す本発明を実施するための第４の形態において、前記本発明を実施するための最良の第１の形態と主に異なる点は、Ｏリング２２の内周接地面が凹凸となるように形成されたＯリング溝２３Ａを形成した外螺旋部材７Ａを用いた点で、このような外螺旋部材７Ａを用いて構成した口紅等の収納容器１Ｃにしても、前記本発明を実施するための最良の第１の形態と同様な作用効果が得られる。
【００２５】
図１７ないし図１９に示す本発明を実施するための第５の形態において、前記本発明を実施するための最良の第１の形態と主に異なる点は、振れ防止用フランジ３１の外周部にＯリング溝４０を形成し、該Ｏリング溝４０に筒部材９の内壁面と接触するＯリング４１を取り付けるとともに、中螺旋部材１４の外螺旋部材７の螺旋溝６と螺合する該中螺旋部材１４の螺旋部12とは異なるピッチの螺旋棒１５を用いた点で、このように構成した口紅等の収納容器１Ｄにしても、前記本発明を実施するための最良の第１の形態と同様な作用効果が得られるとともに、途中までは軽く、後は重く繰り出しすることができるので、勢いよく回した場合でも紅を出し過ぎてしまうことがなく、繰り出しのスピードを速→遅、遅→速というように設定することができる。
【００２６】
図２０ないし図２２に示す本発明を実施するための第６の形態において、前記本発明を実施するための最良の第１の形態と主に異なる点は、中螺旋部材１４の螺旋部12の下部寄りの部位に山形形状の上部が外側へ突出するように切り欠き形成されたストッパー片30Ａと、この皿部材１８の螺旋棒１５の下部寄りの部位に山形形状の上部が外側へ突出するように切り欠き形成されたストッパー片３９Ａとを用いた点で、このように構成した口紅等の収納容器１Ｅにしても、前記本発明を実施するための最良の第１の形態と同様な作用効果が得られるとともに、ストッパー片30Ａと、ストッパー片３９Ａとによって繰り出し時の食い付を効率良く防止することができる。
【００２７】
図２３ないし図２５に示す本発明を実施するための第７の形態において、前記本発明を実施するための最良の第１の形態と主に異なる点は、中螺旋部材１４と外螺旋部材７のストロークエンドで横方向の受け部４２、４３を設けるとともに、
皿部材１８の螺旋棒１５と中螺旋部材１４のストロークエンドで横方向の受け部４４、４５を設けた点で、このように構成した口紅等の収納容器１Ｆにしても、前記本発明を実施するための最良の第１の形態と同様な作用効果が得られるとともに、横方向の受け部４２、４３と横方向の受け部４４、４５とによって繰り出し時の食い付を効率良く防止することができる。
【００２８】
図２６ないし図２８に示す本発明を実施するための第８の形態において、前記本発明を実施するための最良の第１の形態と主に異なる点は、外螺旋部材７の螺旋溝６に皿部材１８Ｂの螺旋棒１５Ｂを螺合させた点で、このように中螺旋部材を使用しないで構成した口紅等の収納容器１Ｇにしても良い。
【産業上の利用可能性】
【００２９】
本発明は口紅等の収納容器を製造する産業で利用される。
【図面の簡単な説明】
【００３０】
【図１】本発明を実施するための最良の第１の形態の縦断面図。
【図２】図１の２−２線に沿う拡大断面図。
【図３】本発明を実施するための最良の第１の形態の分解斜視図。
【図４】本発明を実施するための最良の第１の形態の外螺旋部材の説明図。
【図５】本発明を実施するための最良の第１の形態の筒部材の説明図。
【図６】本発明を実施するための最良の第１の形態の中螺旋部材の説明図。
【図７】本発明を実施するための最良の第１の形態の皿部材の説明図。
【図８】本発明を実施するための最良の第１の形態の最大に皿部材を突出させた状態の縦断面図。
【図９】本発明を実施するための第２の形態の縦断面図。
【図１０】本発明を実施するための第２の形態の中螺旋部材の説明図。
【図１１】本発明を実施するための第２の形態の皿部材の説明図。
【図１２】本発明を実施するための第３の形態の縦断面図。
【図１３】本発明を実施するための第３の形態の外螺旋部材と筒部材の取付け状態の説明図。
【図１４】本発明を実施するための第４の形態の縦断面図。
【図１５】図１４の１５−１５線に沿う拡大断面図。
【図１６】本発明を実施するための第４の形態の外螺旋部材の説明図。
【図１７】本発明を実施するための第５の形態の縦断面図。
【図１８】図１７の１８−１８線に沿う拡大断面図。
【図１９】本発明を実施するための第５の形態の中螺旋部材の説明図。
【図２０】本発明を実施するための第６の形態の縦断面図。
【図２１】本発明を実施するための第６の形態の中螺旋部材の説明図。
【図２２】本発明を実施するための第６の形態の皿部材の説明図。
【図２３】本発明を実施するための第７の形態の縦断面図。
【図２４】図２３の２４−２４線に沿う拡大断面図。
【図２５】本発明を実施するための第７の形態の横方向の受け部の説明図。
【図２６】本発明を実施するための第８の形態の縦断面図。
【図２７】本発明を実施するための第８の形態の分解斜視図。
【図２８】本発明を実施するための第８の形態の最大に皿部材を突出させた状態の縦断面図。
【符号の説明】
【００３１】
１、１Ａ〜１Ｇ：口紅等の収納容器、    
２：ハカマ部材本体、                    ３：キャップ嵌合部、                    
４：キャップ嵌合部材、                ５：ハカマ部材、
６：螺旋溝、                                                ７：外螺旋部材、
８：カシメ、                                                ９、９Ａ：筒部材、
１０：傾斜面、                                １１、１１Ａ：ガイド溝、
１２、１２Ａ：螺旋部、                １３：螺旋溝、
１４、１４Ａ：中螺旋部材、        １５、１５Ａ、１５Ｂ：螺旋棒、
１６：係合片、                                １７：口紅、
１８、１８Ａ、１８Ｂ：皿部材、            １９：キャップ、
２０：外螺旋部材本体、                ２１：筒部材挿入凹部、
２２：Ｏリング、                            ２３：Ｏリング溝、
２４：カシメ用凹部、                    ２５：筒部材本体、
２６：中螺旋部材本体、                ２７：突起、
２８：切欠部、                                ２９：舌片、
３０、３０Ａ：ストッパー片、                ３１：振れ防止用フランジ、
３２：皿部材本体、                                    ３３：傾斜面、
３４：螺旋棒本体、                                    ３５：突起、
３６：螺旋部、                                ３７：切欠部、
３８：舌片、                                                ３９、３９Ａ：ストッパー片、
４０：Ｏリング溝、            ４１：Ｏリング、
４２：横方向の受け部、        ４３：横方向の受け部、
４４：横方向の受け部、        ４５：横方向の受け部。
【図１】
2006239277.tif 000003
【図２】
2006239277.tif 000004
【図３】
2006239277.tif 000005
【図４】
2006239277.tif 000006
【図５】
2006239277.tif 000007
【図６】
2006239277.tif 000008
【図７】
2006239277.tif 000009
【図８】
2006239277.tif 000010
【図９】
2006239277.tif 000011
【図１０】
2006239277.tif 000012
【図１１】
2006239277.tif 000013
【図１２】
2006239277.tif 000014
【図１３】
2006239277.tif 000015
【図１４】
2006239277.tif 000016
【図１５】
2006239277.tif 000017
【図１６】
2006239277.tif 000018
【図１７】
2006239277.tif 000019
【図１８】
2006239277.tif 000020
【図１９】
2006239277.tif 000021
【図２０】
2006239277.tif 000022
【図２１】
2006239277.tif 000023
【図２２】
2006239277.tif 000024
【図２３】
2006239277.tif 000025
【図２４】
2006239277.tif 000026
【図２５】
2006239277.tif 000027
【図２６】
2006239277.tif 000028
【図２７】
2006239277.tif 000029
【図２８】
2006239277.tif 000030